(57)【要約】【課題】スライド表示を容易に行うことができ、操作性がより向上された車両用入力装置を提供する。【解決手段】車両用入力装置は、ユーザーに接触操作されるタッチ面部４０を備える。制御部は、タッチ面部４０への接触操作に応じて表示部に表示された操作画面を変化させる。制御部は、表示部にスライド表示が可能な操作画面が表示された状態でタッチ面部４０の縁部がスライド操作された場合に、当該操作画面をスライド表示させる。また、制御部は、表示部にスライド表示が可能な操作画面が表示されている場合に、タッチ面部４０の縁部を明輝させるよう第１発光部５２を制御する。【選択図】      図４
2014162253.tif 000002
【特許請求の範囲】
【請求項１】
ユーザーによる接触操作に応じて表示部（12）に表示される操作画面を制御する車両用入力装置であって、
前記ユーザーに接触操作されるタッチ面部（40）と、
前記タッチ面部への接触操作に応じて前記表示部に表示された操作画面を変化させる画像制御手段（16）と、
前記タッチ面部を明輝させる発光手段（52,54）と、
前記発光手段の発光態様を制御する発光制御手段（16）とを備え、
前記画像制御手段は、前記表示部にスライド表示が可能な操作画面が表示された状態で前記タッチ面部の縁部をなぞる接触操作がされた場合に、当該操作画面をスライド表示させ、
前記発光制御手段は、前記表示部にスライド表示が可能な操作画面が表示されている場合に、前記タッチ面部の縁部を明輝させるよう前記発光手段を制御する
ことを特徴とする車両用入力装置。
【請求項２】
前記タッチ面部は、前記表示部に表示された操作画面に対応した形状をなし、
前記発光制御手段は、前記操作画面においてスライド表示が可能な部分に対応する前記タッチ面部の縁部を明輝させるよう発光手段を制御する請求項１記載の車両用入力装置。
【請求項３】
前記発光手段は、前記タッチ面部の各縁部に対応して設けられた第１発光部（52）を備え、
前記第１発光部から照射された光を前記タッチ面部の縁部に向けて反射させる第１反射部（46）を備え、
前記発光制御手段は、前記操作画面においてスライド表示が可能な部分に対応する前記タッチ面部の縁部に対応する前記第１発光部を点灯させる請求項２記載の車両用入力装置。
【請求項４】
前記画像制御手段は、前記表示部に表示された操作画面でスライド表示するのが決定された状態で、前記タッチ面部のいずれかの部位をなぞる接触操作がされた場合に、当該操作画面をスライド表示させ、
前記発光制御手段は、前記表示部に表示された操作画面でスライド表示するのが決定された場合に、前記タッチ面部の全体を明輝させるよう前記発光手段を制御する請求項１〜３の何れか１項に記載の車両用入力装置。
【請求項５】
前記発光手段は、第２発光部（54）を備え、
前記第２発光部から照射された光を前記タッチ面部の全体に向けて反射させる第２反射部（48）を備え、
前記発光制御手段は、前記表示部に表示された操作画面でスライド表示するのが決定された場合に、前記第２発光部を点灯させる請求項４記載の車両用入力装置。
【請求項６】
ユーザーに作動操作される操作部（26）を備え、
前記画像制御手段は、前記操作部への作動操作に応じて前記表示部に表示された操作画面中のカーソル（32）が移動するように表示させ、
前記タッチ面部は、前記操作部に設けられている請求項１〜５の何れか１項に記載の車両用入力装置。
【請求項７】
前記タッチ面部の縁部に沿ってガイド部（42）が設けられている請求項１〜６の何れか１項に記載の車両用入力装置。
【発明の詳細な説明】
【技術分野】
【０００１】
本発明は、表示部に表示された操作画面を操作する車両用入力装置に関する。
【背景技術】
【０００２】
例えば自動車の運転室には、エアコンの温度や風量を設定する設定画面を表示したり、映像・音楽の選択や音量調節を行う操作画面を表示したりする表示部が設けられている。このように表示部に表示された操作画面は、運転室に設けた車両用入力装置を介して操作される場合がある。
【０００３】
例えば、特許文献１の車両用入力装置は、運転席に隣接するコンソールボックスに設けた操作部をユーザーが操作することで、操作画面を操作するようになっている。操作部には、決定ボタンやダイヤルが設けられ、操作画面に応じて決定ボタンやダイヤルを操作するようになっている。
【０００４】
例えば、エアコンの温度設定をする場合、ユーザーは、操作部を操作して操作画面中の設定温度が表示された部分にカーソルを移動させる。次に、カーソルを設定温度に合わせた状態で決定ボタンを押圧操作し、当該設定温度をスライド表示可能な状態にする。そして、ダイヤルを回転操作することで、設定温度がスライド表示（スクロール表示）されて、所望の温度を決定し得るようになっている。
【先行技術文献】
【特許文献】
【０００５】
【特許文献１】特開２０１０−１００２７６号公報
【発明の概要】
【発明が解決しようとする課題】
【０００６】
このように、従来の構成では、操作画面をスライド表示させる場合、カーソルを対象の画像まで移動させて決定ボタンを押圧する必要がある。すなわち、従来では、スライド表示させる画像をカーソルで指定しなければならず、操作が煩雑となる虞があった。
【０００７】
そこで、本発明は、上記課題を解決するためになされたものであって、その目的は、スライド表示を容易に行うことができ、操作性がより向上された車両用入力装置を提供することにある。
【課題を解決するための手段】
【０００８】
請求項１の発明では、
ユーザーによる接触操作に応じて表示部に表示される操作画面を制御する車両用入力装置であって、
前記ユーザーに接触操作されるタッチ面部と、
前記タッチ面部への接触操作に応じて前記表示部に表示された操作画面を変化させる画像制御手段と、
前記タッチ面部を明輝させる発光手段と、
前記発光手段の発光態様を制御する発光制御手段とを備え、
前記画像制御手段は、前記表示部にスライド表示が可能な操作画面が表示された状態で前記タッチ面部の縁部をなぞる接触操作がされた場合に、当該操作画面をスライド表示させ、
前記発光制御手段は、前記表示部にスライド表示が可能な操作画面が表示されている場合に、前記タッチ面部の縁部を明輝させるよう前記発光手段を制御することを特徴とする。
【０００９】
請求項１の発明によれば、表示部にスライド表示が可能な操作画面が表示されている場合に、発光手段によってタッチ面部の縁部が明輝される。従って、ユーザーは、操作画面でスライド表示が可能であることを認識することができる。そして、発光手段で明輝されたタッチ面部の縁部をなぞるだけで、操作画面を簡単にスライド表示させることができる。すなわち、従来のように、カーソルを移動させてスライド表示させる対象を指定する必要がなく、高い操作性を実現し得る。
【００１０】
発光手段によりタッチ面部の縁部が明輝されることで、ユーザーがタッチ面部のどの部分をなぞればいいか容易に認識することができる。従って、ユーザーによるタッチ面部の誤操作を抑制し、操作画面を正確に操作することができる。
【００１１】
請求項２の発明では、
前記タッチ面部は、前記表示部に表示された操作画面に対応した形状をなし、
前記発光制御手段は、前記操作画面においてスライド表示が可能な部分に対応する前記タッチ面部の縁部を明輝させるよう発光手段を制御することを特徴とする。
【００１２】
請求項２の発明によれば、操作画面においてスライド表示が可能な部分に対応するタッチ面部の縁部が発光手段によって明輝される。従って、操作画面においてスライド表示が可能な部分とタッチ面部の明輝した縁部との対応関係が明確となり、操作性が更に向上される。特に、操作画面にスライド表示が可能な画像が複数表示されている場合に、ユーザーは、操作画面とタッチ面部との対応関係を直感的に把握することができる。そのため、ユーザーは、迷うことなくタッチ面部を操作して、所望の画像をスライド表示させることが可能となる。
【００１３】
請求項４の発明では、
前記画像制御手段は、前記表示部に表示された操作画面でスライド表示するのが決定された状態で、前記タッチ面部のいずれかの部位をなぞる接触操作がされた場合に、当該操作画面をスライド表示させ、
前記発光制御手段は、前記表示部に表示された操作画面でスライド表示するのが決定された場合に、前記タッチ面部の全体を明輝させるよう前記発光手段を制御することを特徴とする。
【００１４】
請求項４の発明によれば、表示部に表示された操作画面においてスライド表示するのが決定された場合、タッチ面部の全体が発光手段によって明輝される。従って、ユーザーは、タッチ面部のどの部分をなぞってもスライド表示させ得ることを認識することができる。また、ユーザーは、タッチ面部のどの場所をなぞってもスライド表示させることができるから、操作性が更に向上される。
【図面の簡単な説明】
【００１５】
【図１】実施形態に係る車両用入力装置が適用された自動車を概略的に示す断面図。
【図２】実施形態に係る入力部を示す斜視図。
【図３】エアコン設定画面を示す正面図。
【図４】操作ノブを示す平面図。
【図５】実施形態に係る車両用入力装置の制御構成を示すブロック図。
【図６】図４のＶＩ−ＶＩ線断面図。
【図７】図４のＶＩＩ−ＶＩＩ線断面図。
【図８】設定温度のスクロールバーがスライド表示されている状態を示すエアコン設定画面の正面図。
【図９】タッチ面部の上縁部および左右の縁部が明輝された状態を示す平面図。
【図１０】タッチ面部の全体が明輝された状態を示す平面図。
【図１１】設定温度のスクロールバーが段階的にスクロール表示されている状態を示すエアコン設定画面の正面図。
【図１２】設定温度を変更する場合のフローチャート。
【図１３】変更例１に係るネットワーク設定画面において、最初のウィンドウが表示された状態を示す正面図。
【図１４】変更例１に係るタッチ面部の下縁部が流れるように明輝された状態を示す平面図。
【図１５】変更例２に係る目的地設定画面において、手書入力画像が表示された状態を示す正面図。
【発明を実施するための形態】
【００１６】
次に、実施形態に係る車両用入力装置１０について、以下説明をする。
【００１７】
図１は、本実施形態に係る車両用入力装置１０が設けられた自動車を概略的に示す断面図である。車両用入力装置１０は、ユーザーに操作される入力部１４（図２参照）と、入力部１４を制御する制御部１６（画像制御手段、発光制御手段）とから基本的に構成される。そして、車両用入力装置１０は、ユーザーによる入力部１４の操作に応じて、運転室に設けられた表示部１２の操作画面を制御するようになっている。
【００１８】
図１に示すように、表示部１２は、運転室内に設けられたインストルメントパネル１８に設置されている。入力部１４は、運転席に隣接して設けられたコンソールボックス２０に設けられている。
【００１９】
表示部１２は、例えばＬＣＤや有機ＥＬ等のディスプレイで構成されている。表示部１２は、正面視で矩形状をなしており、該表示部１２に表示される操作画面も同じく矩形状に表示される。
【００２０】
本実施形態では、図３に示すように、操作画面として、エアコン設定画面（Ｃｌｉｍａｔｅ）、ナビゲーション画面（Ｍａｐ）、目的地設定画面（Ｄｅｓｔｉｎａｔｉｏｎ）、映像・音楽設定画面（Ｍｅｄｉａ）、ネットワーク設定画面（Ｎｅｔｗｏｒｋ）およびその他の各種設定を行うセットアップ画面（Ｓｅｔｕｐ）が設定されている。そして、表示部１２は、こられの操作画面を選択的に表示するようになっている。なお、以下の説明では、操作画面を図３の如く正面視で見た状態を基準として、操作画面の上、下、左、右、を定義する。
【００２１】
各操作画面で表示される画像は、スライド表示が不可能な画像（以下、静止画像という）と、スライド表示が可能な画像（以下、スライド画像という）との２種類に分けられる。操作画面には、静止画像およびスライド画像が混在して表示されたり、静止画像またはスライド画像の何れか一方のみが表示されたりする。
【００２２】
ここで、「スライド表示」とは、操作画面の一部または全体が連続的に変化するように表示される状態が含まれる。例えばアイコンを指定するカーソル枠２２（図３参照）がスライドするように表示されたり、設定温度のスクロールバー６０（後述）がスクロールするように表示されたりする場合がスライド表示に該当する。また、いわゆるフリック操作のように、画面（ウィンドウ）が連続的に切り替わるように表示する場合もスライド表示に含まれる。更に、スライド表示には、手書入力のように操作画面に文字や記号等を描写するように表示する場合も含まれる。
【００２３】
図２に示すように、入力部１４は、コンソールボックス２０に設置されたベース部材２４と、該ベース部材２４に移動自在に設けられた操作ノブ２６（操作部）とを備えている。図２に示すように、ベース部材２４には、上側に向けて開口する設置凹部２８が形成されている。この設置凹部２８の内部に操作ノブ２６が収容された状態で設けられている。設置凹部２８の底面は、水平面をなしており、操作ノブ２６は、設置凹部２８の底面に対して略平行な姿勢（すなわち、水平姿勢）をなしている。
【００２４】
本実施形態における操作ノブ２６は、設置凹部２８の開口面積よりも小さな寸法の矩形板状に形成されている。操作ノブ２６は、設置凹部２８の内部において、水平方向の全方向へ移動し得るようになっている。操作ノブ２６には、該操作ノブ２６の位置を検知する位置センサ３０（図５参照）が設けられている。この操作ノブ２６は、操作画面中に表示される指示カーソル３２（図３参照）を移動させる際にユーザーに作動操作される。
【００２５】
図２に示すように、操作ノブ２６は、ノブ本体３４にタッチプレート３６が組み付けられて構成されている。ノブ本体３４は、平面視で所定方向（自動車の進行方向）に長尺な形状に形成される。ノブ本体３４は、内部に所要の空間が形成された箱状をなしている。ノブ本体３４の上面には、開口部が開口している。図４に示すように、ノブ本体３４の長手方向の両側部には、ユーザーに押圧操作される決定ボタン３８が設けられている。この決定ボタン３８は、操作画面において画像を指示カーソル３２で指定する際に押圧操作される。
【００２６】
タッチプレート３６は、ノブ本体３４の開口部に嵌め込まれた状態でノブ本体３４に組み付けられている。タッチプレート３６は、例えばアクリル等の光透過性を有する板状の合成樹脂で形成されている。タッチプレート３６の上面には、正方形状の領域が一段下がって形成されている。この正方形の領域が、ユーザーにより接触操作されるタッチ面部４０を構成している。タッチ面部４０には、微小な凹凸によるシボ加工が施されている（図６，図７参照）。
【００２７】
なお、以下の説明では、図４に示す平面視を基準として、タッチ面部４０の上、下、左、右を定義する。そして、タッチ面部４０の各縁部を、上縁部、下縁部、左縁部、右縁部とそれぞれ指称する。タッチ面部４０の「接触操作」とは、ユーザーの手指がタッチ面部４０に触れた状態で操作することをいう。そして、タッチ面部４０を所定方向になぞるように接触操作することを、特に「スライド操作」と称する。
【００２８】
図２に示すように、タッチプレート３６には、タッチ面部４０の左右の縁部に沿うようにガイド突部４２（ガイド部）が突出して形成されている。図６，図７に示すように、タッチプレート３６の下面には、壁部４４が突出するように形成されている。この壁部４４は、タッチプレート３６のタッチ面部４０に対応して、略正方形状に形成されている。図４に示すように、この壁部４４の外周面側には、全周に亘って第１反射部４６および第２反射部４８が交互に形成されている。
【００２９】
図６に示すように、第１反射部４６は、壁部４４の内側から外側（図６では左から右）に向けて上方傾斜する１つの傾斜面で形成されている。図７に示すように、第２反射部４８は、壁部４４の内側から外側（図７では左から右）に向けて２段階で上方傾斜する傾斜面と、タッチ面部４０に略垂直な垂直面と、壁部４４の外側から内側（図７では右から左）に向けて上方傾斜する傾斜面とから構成されている。
【００３０】
タッチプレート３６の下面には、検知板５０が壁部４４の内側に収容された状態で設けられている。この検知板５０は、タッチ面部４０と略同じ寸法の正方形状とされている。ユーザーがタッチ面部４０を接触操作すると、検知板５０は、タッチプレート３６を介してユーザーの手指の動きを検知する。
【００３１】
検知板５０の下面には、検知板５０の周縁部の全体に亘って複数の第１発光部５２（発光手段）および第２発光部５４（発光手段）が交互に配置されている（図４参照）。第１発光部５２および第２発光部５４は、同色（例えば黄色）の光を照射するＬＥＤ等の発光素子であって、制御部１６によって発光制御される。第１発光部５２および第２発光部５４は、点灯した際に、壁部４４へ向けて（すなわち、壁部４４の内側から外側に向かう方向）光を照射する。
【００３２】
第１発光部５２は、検知板５０において第１反射部４６に対応する位置に配置されている。すなわち、第１発光部５２は、壁部４４を挟んで第１反射部４６に対向している。第１発光部５２が点灯すると、第１発光部５２から照射された光が壁部４４を透過して第１反射部４６に到達する。そして、図６に示すように、第１発光部５２の光は、第１反射部４６で１回反射されて、タッチ面部４０の縁部に到達するようになっている。すなわち、第１発光部５２の光は、第１反射部４６で反射されて、タッチ面部４０の縁部を明輝させる。
【００３３】
第２発光部５４は、検知板５０において第２反射部４８に対応する位置に配置されている。すなわち、第２発光部５４は、壁部４４を挟んで第２反射部４８に対向している。第２発光部５４が点灯すると、第２発光部５４から照射された光が壁部４４を透過して第２反射部４８に到達する。そして、図７に示すように、第２発光部５４の光は、第２反射部４８で複数回反射されて、タッチ面部４０の全体に到達するようになっている。すなわち、第２発光部５４の光は、第２反射部４８で散乱されて、タッチ面部４０の全体を明輝させる。
【００３４】
なお、第１発光部５２および第２発光部５４の光は、タッチ面部４０に到達すると、当該タッチ面部４０のシボ加工によって散乱されて、タッチ面部４０を鮮やかに明輝させる。
【００３５】
次に、本実施形態の車両用入力装置１０の制御構成について説明する。車両用入力装置１０では、１つの制御部１６によって表示部１２に対する画像制御および入力部１４（第１発光部５２，第２発光部５４）に対する発光制御が行われる。制御部１６は、図示しないＣＰＵ、ＲＯＭ、ＲＡＭ等を備えた例えば電子制御ユニットから構成されている。
【００３６】
図５のブロック図に示すように、制御部１６は、第１発光部５２および第２発光部５４に電気的に接続されている。そして、制御部１６は、表示部１２に表示された操作画面に応じて第１発光部５２および第２発光部５４の発光を制御する。
【００３７】
制御部１６は、検知板５０に電気的に接続されており、当該検知板５０で検知された信号（ユーザーの手指の動き）が入力される。そして、検知板５０から入力された検知信号に基づいて、制御部１６は表示部１２の操作画面を変化させる。
【００３８】
制御部１６は、位置センサ３０に電気的に接続されており、当該位置センサ３０で検知された信号（操作ノブ２６の位置）が制御部１６に入力される。そして、位置センサ３０から入力された信号に応じて、制御部１６は操作画面中の指示カーソル３２を移動させる。
【００３９】
制御部１６は、決定ボタン３８に電気的に接続されており、ユーザーが決定ボタン３８を押圧操作すると、決定ボタン３８から操作信号が制御部１６に入力される。そして、決定ボタン３８から操作信号が入力されると、制御部１６は、指示カーソル３２が合わせられた画像を変化させる。
【００４０】
次に、操作画面としてエアコン設定画面（Ｃｌｉｍａｔｅ）が表示されている場合を例に、制御部１６の具体的な制御態様を説明する。エアコン設定画面では、図３に示すように、風向やエアコンのオン・オフを示す静止画像６２と、風量や設定温度等のスライド画像５６，５８とが混在して表示される。
【００４１】
風量を示すアイコン（以下、風量アイコン５６という）は、風量の強度を示す記号５６ａと、矩形状のカーソル枠２２とから構成される。そして、風量アイコン５６は、エアコン設定画面の上側に表示されている。風量の強度を示す記号５６ａは、エアコン設定画面において左右方向に並んで表示されている。そして、カーソル枠２２を左右に移動させて記号に合わせることで、エアコンの風量が設定される。すなわち、風量アイコン５６（カーソル枠２２）は、エアコン設定画面の上縁側を左右方向にスライド表示が可能なスライド画像である。
【００４２】
エアコン設定画面には、左右の両側に設定温度を示すアイコン（以下、単に設定温度５８という）がそれぞれ表示されている。右側の設定温度５８は、運転席側の設定温度を示し、左側の設定温度５８は、助手席側の設定温度を示している。図８に示すように、ユーザーが設定温度を変更する際、設定温度５８は、各温度（数字）が上下方向に並んだスクロールバー６０として表示される。そして、このスクロールバー６０が上方または下方にスクロールするように表示されて、ユーザーが設定温度を決定し得るようになっている。すなわち、左右の設定温度５８は、それぞれエアコン設定画面の左右の縁部側において、上下方向にスライド表示が可能なスライド画像を構成している。
【００４３】
前述したエアコン設定画面のように、操作画面中にスライド画像が表示されている場合、制御部１６は、第１発光部５２を点灯させると共に、第２発光部５４を消灯させるようになっている。このとき制御部１６は、操作画面中のスライド画像の位置に対応するよう、タッチ面部４０を明輝させる位置を制御する。
【００４４】
具体的には、エアコン設定画面では、上縁部および左右の縁部にスライド画像５６，５８が表示される。この場合、制御部１６は、タッチ面部４０の上縁部および左右の縁部に対応する第１発光部５２を点灯させる。一方、制御部１６は、タッチ面部４０の下縁部に対応する第１発光部５２を消灯させる。その結果、図９に示すように、タッチ面部４０の上縁部および左右の縁部が明輝されることになる。
【００４５】
この状態で、ユーザーがタッチ面部４０の左縁部を下縁部から上縁部に向けてスライド操作したとする。この場合、制御部１６は、エアコン設定画面の左側の設定温度５８をスクロールバー６０として表示させる。そして、制御部１６は、スクロールバー６０が上方にスクロールするようにスライド表示させる（図８参照）。
【００４６】
一方、ユーザーがタッチ面部４０において明輝されていない下縁部をスライド操作したとする。この場合、制御部１６は、検知板５０から信号が入力されてもエアコン設定画面を変化させることはない。
【００４７】
このように、制御部１６は、タッチ面部４０において明輝された部分への接触操作（スライド操作）に応答する一方、タッチ面部４０の明輝されていない部分への接触操作はキャンセルする（応答しない）。
【００４８】
制御部１６は、操作画面においてスライド表示するのが決定された状態（以下、スライド表示決定状態という）となると、第１発光部５２を消灯させると共に第２発光部５４を点灯させるようになっている。その結果、スライド表示決定状態では、図１０に示すように、タッチ面部４０の全体が明輝されることになる。
【００４９】
スライド表示決定状態とは、操作画面中の特定のスライド画像に対して、スライド表示することが決定された状態をいう。実施形態では、例えばユーザーが設定温度５８に指示カーソル３２を合わせた際に、設定温度５８をスライド表示することが決定されたスライド表示決定状態となる。具体的には、スライド表示決定状態となると、図１１に示すように、設定温度５８のスクロールバー６０が表示されて、スライド表示が可能な状態となる。
【００５０】
スライド表示決定状態となって、タッチ面部４０の全体が明輝されると、制御部１６は、タッチ面部４０の何れの位置に対するスライド操作であっても全て応答し、スクロールバー６０をスライド表示させる（図８参照）。すなわち、ユーザーは、タッチ面部４０の何れの位置をスライド操作しても、スクロールバー６０をスライド表示させることができる。
【００５１】
なお、スクロールバー６０が表示されている場合、ユーザーは、タッチ面部４０に対するスライド操作だけでなく、決定ボタン３８によってもスクロールバー６０をスライド表示させることができる。すなわち、図１１に示すように、スクロールバー６０の上矢印６０ａまたは下矢印６０ｂに指示カーソル３２を合わせて決定ボタン３８を押圧操作する。これにより、スクロールバー６０が段階的に（決定ボタン３８を押圧する毎に）スライド表示させるようになっている。
【００５２】
次に、本実施形態の車両用入力装置１０の作用について、図１２のフローチャートを参照して説明する。以下の説明では、前述したエアコン設定画面において、左側の設定温度５８をスライド表示させる場合を例に説明する。
【００５３】
表示部１２にエアコン設定画面が表示されると（ステップＳ１０）、制御部１６は、タッチ面部４０の上縁部および左右の縁部に対応する第１発光部５２を点灯させる。また、制御部１６は、タッチ面部４０の下縁部に対応する第１発光部５２および全ての第２発光部５４を消灯させる。
【００５４】
図６に示すように、第１発光部５２から照射された光は、タッチプレート３６の壁部４４を透過して第１反射部４６に到達する。そして、第１発光部５２の光は、第１反射部４６でタッチ面部４０の縁部に向けて反射される。タッチ面部４０の縁部に到達した光は、タッチ面部４０のシボ加工により散乱される。すなわち、第１発光部５２の光は、タッチ面部４０の縁部のみに到達し、当該縁部を明輝させる。その結果、図９に示すように、タッチ面部４０の上縁部および左右の縁部が明輝される（ステップＳ１２）。これにより、ユーザーは、エアコン設定画面にスライド画像５６，５８が表示されていることを瞬時に認識することができる。
【００５５】
ここで、エアコン設定画面の上縁部に表示された風量アイコン５６に対応して、タッチ面部４０の上縁部が明輝されている。また、エアコン設定画面の左右の縁部に表示された設定温度５８に対応して、タッチ面部４０の左右の縁部が明輝されている。このように、操作画面において、スライド表示が可能な部分に対応して、タッチ面部４０の縁部が明輝されることになる。従って、ユーザーは、操作画面のどの画像がスライド表示可能であるのかを直ちに把握することができる。
【００５６】
一方、エアコン設定画面の下縁部側には、静止画像のみが表示されている。このため、表示部１２は、タッチ面部４０の下縁部に対応する第１発光部５２を消灯させ、タッチ面部４０の下縁部が明輝されることはない。従って、ユーザーが誤ってタッチ面部４０の下縁部を接触操作するのを抑制することができる。
【００５７】
ユーザーがタッチ面部４０の左縁部をスライド操作すると（ステップＳ１４のＹｅｓ）、当該スライド操作を検知板５０が検知して、検知信号を制御部１６に出力する。検知信号が入力されると、制御部１６は、エアコン設定画面における左側の設定温度５８をスクロールバー６０として表示させる。そして、図８に示すように、制御部１６は、ユーザーがタッチ面部４０をなぞる方向に合わせて、スクロールバー６０をスクロールさせる（ステップＳ１６）。
【００５８】
すなわち、図９に示すように、ユーザーがタッチ面部４０の左縁部を下縁部から上縁部に向けてスライド操作した場合、図８に示すように、スクロールバー６０も、下から上にスクロールするようにスライド表示される。一方、ユーザーがタッチ面部４０の左縁部を上縁部から下縁部に向けてスライド操作した場合、スクロールバー６０も、上から下にスクロールするようにスライド表示される。
【００５９】
このように、ユーザーは、タッチ面部４０の左縁部をなぞるだけで設定温度５８をスライド表示させることができる。従って、ユーザーは、操作ノブ２６を操作して設定温度５８を指示カーソル３２で指定する必要がなく、設定温度を簡単に変更することができる。しかも、ユーザーがスライド操作する方向と、スクロールバー６０がスクロールする方向とが一致するから、ユーザーは、自然な操作感を味わうことができる。
【００６０】
スクロールバー６０をスクロールさせた後、ユーザーが設定温度を決定すると（ステップＳ１８）、ステップＳ１０に移行し、エアコン設定画面を表示させる。
【００６１】
ここで、図４に示すように、タッチプレート３６には、タッチ面部４０の左右の縁部に沿うようにガイド突部４２が形成されている。従って、ユーザーは、ガイド突部４２に触れることでタッチ面部４０の左右の縁部の位置を認識することができる。これにより、ユーザーは、タッチ面部４０を視認しなくともタッチ面部４０の左右の縁部を認識することができる。しかも、ガイド突部４２によってスライド操作が案内されて、スライド画像を確実にスライド表示させることができる。
【００６２】
一方、ステップＳ１４において、タッチ面部４０に対するスライド操作が行われない場合（ステップＳ１４のＮｏ）、ステップＳ２０に移行する。
【００６３】
この状態で、ユーザーが操作ノブ２６を作動操作し、指示カーソル３２を左側の設定温度５８へ向けて移動させたとする。操作ノブ２６が作動操作されると、位置センサ３０が操作ノブ２６の位置を検知して制御部１６に検知信号を出力する。制御部１６は、位置センサ３０からの検知信号に合わせて、エアコン設定画面中の指示カーソル３２を移動表示させる。そして、指示カーソル３２が左側の設定温度５８に合わせられると（ステップＳ２０のＹｅｓ）、操作画面がスライド表示決定状態となる。すなわち、図１１に示すように、制御部１６は、設定温度５８をスクロールバー６０として表示させる（ステップＳ２２）。
【００６４】
次に制御部１６は、全ての第１発光部５２を消灯させると共に、全ての第２発光部５４を点灯させる。図７に示すように、第２発光部５４から照射された光は、タッチプレート３６の壁部４４を透過して第２反射部４８に到達する。そして、第２発光部５４の光は、第２反射部４８で複数回反射して、タッチ面部４０の全体に亘って散乱される。タッチ面部４０に到達した第２発光部５４の光は、タッチ面部４０のシボ加工によって更に散乱され、タッチ面部４０の全体を明輝させる（ステップＳ２４）。このように、第２反射部４８で第２発光部５４の光を乱反射させることで、タッチ面部４０の全体に第２発光部５４を設けなくとも、タッチ面部４０の全体を明輝させることができる。従って、第２発光部５４の数を少なくでき、部品点数を抑制することができる。
【００６５】
このように、指示カーソル３２が設定温度５８に合わせられると、制御部１６は、タッチ面部４０の全体を明輝させる。従って、ユーザーは、タッチ面部４０のどの部分であってもスライド操作し得ることを認識することができる。
【００６６】
なお、ステップＳ２０において、ユーザーが指示カーソル３２を設定温度５８に合わせない場合（ステップＳ２０のＮｏ）、ステップＳ１０に移行する。
【００６７】
次に、全体が明輝された状態のタッチ面部４０をユーザーがスライド操作したとする（ステップＳ２６のＹｅｓ）。制御部１６は、図８に示すように、当該スライド操作の方向（例えば下から上）に合わせてスクロールバー６０を同方向へスクロールさせる（ステップＳ２８）。このように、タッチ面部４０の全体が明輝された状態では、タッチ面部４０のどの部分をスライド操作してもスクロールバー６０をスクロールさせることができる。すなわち、ユーザーは、タッチ面部４０の縁部をスライド操作する必要がなく、操作を簡単に行うことができる。
【００６８】
なお、スクロールバー６０をスクロールさせて、ユーザーが設定温度を決定すると（ステップＳ３０）、ステップＳ３２に移行する。そして、指示カーソル３２が左側の設定温度５８から外れた位置に移動されると（ステップＳ３２のＹｅｓ）、ステップＳ１０に移行する。一方、指示カーソル３２が設定温度５８に合わせられた状態では、ステップＳ２６に移行する。
【００６９】
ステップＳ２６において、ユーザーがタッチ面部４０をスライド操作しない場合（ステップＳ２６のＮｏ）、ステップＳ３４に移行する。この状態で、ユーザーが、操作ノブ２６を作動操作して指示カーソル３２をスクロールバー６０の矢印（例えば上矢印６０ａ）に合わせ、決定ボタン３８を複数回押圧したとする（ステップＳ３４のＹｅｓ）。決定ボタン３８から操作信号が制御部１６に入力されると、制御部１６は、スクロールバー６０が段階的にスクロールするように表示させる（ステップＳ３６）。すなわち、図１１に示すように、スクロールバー６０は、決定ボタン３８が押圧される毎に上方へ少しずつスクロールする。
【００７０】
このように、スクロールバー６０の矢印を指示カーソル３２で指定することで、スクロールバー６０を徐々にスライド表示させることができる。従って、ユーザーは、スクロールバー６０を少しずつスクロールさせて、設定温度を細かく調整することが可能となる。
【００７１】
なお、ユーザーが設定温度を決定すると（ステップＳ３８）、ステップ３２に移行する。また、ステップＳ３４において、スクロールバー６０の矢印６０ａ，６０ｂが指示カーソル３２で指定されない場合も（ステップＳ３４のＮｏ）、ステップＳ３２に移行する。
【００７２】
以上に説明したように、本実施形態に係る車両用入力装置１０によれば、操作画面にスライド画像が表示されている場合、ユーザーは、タッチ面部４０の縁部をスライド操作するだけでスライド画像をスライド表示させることができる。従って、ユーザーは、操作ノブ２６を操作して指示カーソル３２でスライド画像を指定する必要がなく、簡単にスライド表示させることができる。しかも、スライド画像が表示されている場合に、対応するタッチ面部４０の縁部が明輝される。従って、ユーザーは、スライド操作する箇所を誤ることなく、タッチ面部４０を正確に操作することができる。
【００７３】
なお、上記の実施形態では、設定温度５８をスライド表示させる場合を例示した。しかしながら、図３および図９の状態において、タッチ面部４０の上縁部を左右にスライド操作すれば、風量アイコン５６をスライド表示させることもできる。すなわち、ユーザーがタッチ面部４０の上縁部をなぞる方向に合わせて、カーソル枠２２が左右に移動するよう表示される。
【００７４】
また、上記の実施形態では、図１１の状態において、指示カーソル３２でスクロールバー６０の矢印６０ａ，６０ｂを押圧することで、スクロールバー６０が段階的にスクロールするようにした。しかしながら、例えば、スクロールバー６０が表示された図８の状態において、タッチ面部４０の左縁部の上端または下端をユーザーが叩くように操作することで、スクロールバー６０が段階的にスクロールするようにしてもよい。
【００７５】
〔変更例１〕
次に、変更例１に係る車両用入力装置について説明する。なお、以下の説明では、実施形態との相違部分について説明し、実施形態と同一部分については同じ符号を付して説明を省略する。
【００７６】
実施形態では、操作画面にスライド画像が表示されている場合に、タッチ面部４０の対応する縁部を明輝させるようにした。変更例１では、操作画面に表示されたスライド画像が一方向にのみスライド表示可能な場合、タッチ面部４０の縁部が一方向へ流れるように明輝されるようになっている。
【００７７】
具体的には、図１３に示すように、操作画面にネットワーク設定画面（Ｎｅｔｗｏｒｋ）が選択されている場合に、タッチ面部４０の縁部が流れるように明輝される。ネットワーク設定画面は、全部で５つのウィンドウＷ１で構成されている。ネットワーク設定画面が選択されると、各種のアイコンが表示された最初のウィンドウＷ１が表示される。この最初のウィンドウＷ１（１／５）では、以降のウィンドウ（２／５〜５／５）に切り替え可能な状態となっている。
【００７８】
この場合、制御部１６は、タッチ面部４０の例えば下縁部に対応する第１発光部５２を点灯させると共に、他の第１発光部５２および第２発光部５４を消灯させる。このとき、制御部１６は、右側の第１発光部５２から左側の第１発光部５２に順番に点灯させるように設定されている。これにより、図１４に示すように、タッチ面部４０の下縁部が右から左へ流れるように明輝されることになる。これにより、タッチ面部４０が一方向へ流れるように明輝されることで、ユーザーは、ウィンドウＷ１を一方向へ切り替え得ることを認識する。
【００７９】
この状態で、ユーザーがタッチ面部４０の下縁部を右から左へスライド操作（いわゆるフリック操作）すると、制御部１６は、ウィンドウＷ１が連続的に切り替わるようにスライド表示させる。このように、変更例１では、タッチ面部４０をスライド操作する方向が光によって示される。従って、ユーザーは、光の方向に従ってスライド操作することで、ウィンドウＷ１を正確に切り替えることができる。
【００８０】
〔変更例２〕
次に、変更例２に係る車両用入力装置について説明する。変更例２の説明においても、実施形態との相違部分のみを説明し、実施形態と同一部分については同じ符号を付して説明を省略する。
【００８１】
実施形態では、操作画面がスライド表示をすることが決定された状態（スライド表示決定状態）として、指示カーソル３２が設定温度５８に合わせられてスクロールバー６０が表示された状態を例示した（図１１参照）。そして、設定温度５８のスクロールバー６０が表示されると、タッチ面部４０の全体が明輝される構成とした。
【００８２】
変更例２では、スライド表示決定状態として、上記に加えて、手書入力画面Ｗ２が操作画面に表示された状態が想定されている。具体的には、図１５に示すように、目的地設定画面（Ｄｅｓｔｉｎａｔｉｏｎ）が選択された場合に、目的地を手書き入力する手書入力画面Ｗ２が操作画面として表示されるようになっている。
【００８３】
表示部１２に手書入力画面Ｗ２が表示されると、制御部１６は、第１発光部５２を消灯させると共に、全ての第２発光部５４を点灯させる。これにより、タッチ面部４０の全体が明輝される（図１０参照）。すなわち、手書入力画面Ｗ２が表示されるとタッチ面部４０の全体が明輝されるので、ユーザーは、目的地を手書入力可能であることを認識することができる。
【００８４】
タッチ面部４０の全体が明輝された状態で、ユーザーがタッチ面部４０をスライド操作（手書き入力）すると、制御部１６は、スライド操作に応じた文字を表示部１２に描写させる。このように、タッチ面部４０の全体が明輝された状態では、タッチ面部４０のどの部分をスライド操作しても手書き入力が可能となる。従って、ユーザーは、タッチ面部４０の全体を使って手書き入力することができ、容易に手書き入力し得る。
【００８５】
なお、前述した実施形態、変更例１および変更例２は、以下のような変更が可能である。
【００８６】
１．前述した実施形態および変更例１，２では、第１発光部５２および第２発光部５４から同色（黄色）の光が照射されるようにした。しかしながら、第１発光部５２および第２発光部５４が互いに異なる色の光を照射するようにしてもよい。また、第１発光部５２が照射する光の色をタッチ面部４０の縁部毎に異なるようにして、タッチ面部４０の縁部を異なる色で明輝させてもよい。更に、タッチ面部４０の縁部が明輝される色に対応させて、操作画面のスライド画像も同じ色で発色させてもよい。
【００８７】
２．実施形態および変更例１，２では、操作画面およびタッチ面部４０を何れも矩形状とした。しかしながら、例えば、操作画面およびタッチ面部４０を円形や楕円形にしてもよい。この場合、タッチ面部４０の周縁部が第１発光部５２で明輝されて、ユーザーは、明輝された周縁部をなぞることで、操作画面をスライド表示させることができる。また、操作画面およびタッチ面部４０を三角形や五角形以上の多角形としてもよい。
【００８８】
３．実施形態や変更例１，２では、タッチ面部４０の左右の縁部に沿ってガイド突部４２を設けた場合を示したが、タッチ面部４０の上縁部や下縁部に沿ってガイド突部４２を設けてもよい。また、ガイド部としては、タッチ面部４０から突出するガイド突部４２に限定されない。例えば、タッチ面部４０から凹む溝部をガイド部として形成してもよい。タッチ面部４０の縁部に沿うように溝部を形成することで、ユーザーのスライド操作を溝部で案内することが可能となる。また、溝部によって、ユーザーは、タッチ面部４０の縁部の位置を認識することができる。
【００８９】
更に、タッチ面部４０の縁部の表面に凹凸を形成し、当該凹凸によってタッチ面部４０の縁部の位置をユーザーに認識させる構成とすることも可能である。このようにタッチ面部４０の縁部に凹凸を設けることで、ユーザーのスライド操作を案内することもできる。
【００９０】
４．実施形態および変更例１，２では、第１発光部５２および第２発光部５４の光を第１反射部４６および第２反射部４８で反射させる構成とした。しかしながら、第１発光部５２および第２発光部５４の光をタッチ面部４０に直接照射する構成としてもよい。但し、この場合、第２発光部５４をタッチ面部４０の全体に亘って設ける必要があり、実施形態のように散乱させる構成に比べて、第２発光部５４が多く必要となる難点がある。
【００９１】
５．実施形態や変更例１，２では、操作画面としてエアコン設定画面や目的地設定画面が表示された場合を例示した。しかしながら、例えば映像・音楽の設定画面（Ｍｅｄｉａ）における再生やスキップ等する際に、タッチ面部４０の縁部を明輝させるようにしてもよい。すなわち、スライド画像が表示される操作画面であれば、如何なる操作画面であっても本発明の車両用入力装置を適用することができる。
【００９２】
６．実施形態や変更例１，２では、操作ノブ２６にタッチ面部４０を設けたが、必ずしも操作ノブ２６上にタッチ面部４０を設ける必要はない。例えば、コンソールボックス２０にタッチ面部４０を直接設けてもよい。
【００９３】
７．実施形態や変更例１，２では、１つの制御部１６が表示部１２および第１発光部５２、第２発光部５４を制御する構成とした。しかしながら、表示部１２を制御する画像制御手段と、第１発光部５２および第２発光部５４を制御する発光制御手段とを、それぞれ別の構成としてもよい。
【００９４】
８．実施形態や変更例１，２では、タッチ面部４０が水平となるように入力部１４をコンソールボックス２０に設置した。しかしながら、例えば自動車の進行方向に向けて上方傾斜するようにタッチ面部４０を傾斜姿勢で設けてもよい。また、表示部１２や入力部１４が設置される場所は、実施形態に限定されず、適宜変更することができる。
【符号の説明】
【００９５】
１２…表示部、１６…制御部、２６…操作ノブ、３２…指示カーソル、４０…タッチ面部、４２…ガイド突部、４６…第１反射部、４８…第２反射部、５２…第１発光部、５４…第２発光部。
【図１】
2014162253.tif 000003
【図２】
2014162253.tif 000004
【図３】
2014162253.tif 000005
【図４】
2014162253.tif 000006
【図５】
2014162253.tif 000007
【図６】
2014162253.tif 000008
【図７】
2014162253.tif 000009
【図８】
2014162253.tif 000010
【図９】
2014162253.tif 000011
【図１０】
2014162253.tif 000012
【図１１】
2014162253.tif 000013
【図１２】
2014162253.tif 000014
【図１３】
2014162253.tif 000015
【図１４】
2014162253.tif 000016
【図１５】
2014162253.tif 000017